(57)【特許請求の範囲】
【請求項１】
曝気槽側壁に、当該側壁上部を垂れ壁として機能せしめる被処理水取水口を形設すると共に、当該取水口より高い位置の排水側端部にオーバーフロー口を有し、水位差により取水口に内圧を掛ける略Ｕ字形状の流路を備えた曝気を行わない排水設備を前記取水口に接続したことを特徴とする好気性汚水処理装置。
【発明の詳細な説明】
【０００１】
【発明の属する技術分野】
本発明は、畜産業や食品加工業などから排出される高濃度の有機性汚水の処理装置に関するものである。
【０００２】
【従来の技術】
有機性汚水の浄化処理には、活性汚泥を用いた方法が従来より用いられてきた。この方法は、有機性汚水に含まれる有機物の分解に寄与する有用微生物の集合体である活性汚泥を、活性汚泥中の有用微生物の活動に必要な酸素を供給するための曝気装置を備えた曝気槽内に蓄えておき、曝気槽内に汚水を添加して、活性汚泥中の有用微生物により汚水中の有機物を好気的（酸化）分解処理させるものである。被処理水はオーバーフローによって曝気槽外へ排出され、沈降分離槽にて活性汚泥を沈降分離した上澄みを系外へ放流する。また、沈降分離された活性汚泥の一部は、曝気槽内の汚泥濃度を高める目的のため、曝気槽へと返送される。
【０００３】
し尿処理場など、比較的高濃度の汚水を好気性処理する場合には、曝気により発生した泡がしばしば問題となる。一般に、曝気槽は、曝気された空気を開放するための通気口や、浄化処理された被処理水がオーバーフローによって系外に流出するための排水口が設けてあるが、曝気槽水面にて発生した泡が通気口や排水口から溢れ出して２次公害を引き起こす。更にこの現象が顕著になると、曝気槽内の処理汚水の殆どが泡として槽外に溢れ出て、正常な処理運転が不可能となることもある。
【０００４】
従来は、曝気槽水面で発生した泡を、水面上に設置された機械式消泡装置やスプレー式消泡装置により破壊すると同時に、排水口手前に垂れ壁を設けて泡のオーバーフローを防止している。
【０００５】
【発明が解決しようとする課題】
しかしながら、垂れ壁には下記の課題が残る。図１に示す従来の技術による好気性汚水処理装置では、曝気槽１に曝気ブロア６と散気装置７が設置されており、曝気により発生した泡１２は消泡装置５にて消泡され槽外への流出を防止している。同時に、オーバーフロー口４の手前には垂れ壁８が設置されており、泡のオーバーフローを防止している。汚水原水１０が注入されると、曝気槽の水位が上昇することにより、オーバーフロー口４より被処理水１１が自然流出する。
【０００６】
泡が曝気槽水面上に発生した場合、曝気槽水位には発生した泡に相当するだけの水位降下９が生ずる。水位降下は泡の密度によって変化し、クリーム状の密度の高い泡の場合に大きくなる。有機物濃度が数％にもおよぶ非常に高濃度の汚水を処理する場合、必要となる曝気量も増加するため、特に何等かの運転条件の変化により曝気槽内の処理汚水の水質が悪化した場合に、この現象が顕著となり、ついには図２に示すように、曝気槽全体が密度が水に近いクリーム状の泡で満たされ、垂れ壁の下を回った泡がオーバーフローして系外に流出してしまう。このような正常運転がなされていない状態で汚水原水１０を更に注入してゆくと、処理汚水１３の水質は更に悪化し、泡の発生を増長し、ついには運転不可能となる。
【０００７】
本発明の目的は、高濃度の有機性汚水を処理する汚水処理装置において、なんらかの運転条件の変化により著しい泡の発生があった場合にも、泡の流出を防止して安定した処理運転を継続可能な好気性汚水処理装置を提供することにある。
【０００８】
【課題を解決するための手段】
すなわち上記課題を解決するため、本発明の好気性汚水処理装置は、曝気槽側壁に、当該側壁上部を垂れ壁として機能せしめる被処理水取水口を形設すると共に、当該取水口より高い位置の排水側端部にオーバーフロー口を有し、水位差により取水口に内圧を掛ける略Ｕ字形状の流路を備えた曝気を行わない排水設備を前記取水口に接続したことを特徴とする。
【０００９】
なお、本発明の処理対象となる有機性汚水として、特に泡の発生が顕著な、畜産業や食品加工業から排出される有機物濃度が数％にも及ぶ高濃度汚水が挙げられているが、これに限定されるものではなく、有機物濃度が１％以下の有機性汚水に対しても使用することができる。
【００１０】
【発明の実施の形態】
以下に、本発明の実施の形態を添付図面に基づいて説明する。
まず、第１の実施の形態を示す図３の装置は、箱型曝気槽１の側壁に取水口２を設けて、該取水口２に、排水側端部にオーバーフロー口４を有する略Ｕ字形状流路３ａを備えた排水設備３を接続したものである。この排水設備３のオーバーフロー口４は、取水口２よりも高い位置となっている。また、曝気槽１には、曝気ブロア６と散気装置７が設置されており、曝気によって発生する泡１２は消泡装置５により消泡され、槽外への流出を防止している。取水口２より上部の曝気槽１側壁は垂れ壁８として機能し、泡のオーバーフローを防止している。汚水原水１０が注入されると、曝気槽の水位が上昇することにより、オーバーフロー口４より被処理水１１が自然流出する。
【００１１】
有機物濃度が数％にもおよぶ非常に高濃度の汚水を処理する場合、特に何等かの運転条件の変化により曝気槽内の処理汚水の水質が悪化した場合に、ついには図４に示すように、曝気槽１全体が密度が水に近いクリーム状の泡１２で満たされた状態となる。このとき、排水設備３では曝気が行われていないため、Ｕ字形状流路３ａには封入された被処理水１４が存在する。封入された被処理水１４の取水口２側とオーバーフロー口４側との水位差により取水口２には内圧が掛かり、泡１２は水封じされることにより、泡の流出を防止することができ、正常な運転が保たれる。更に、この状態で汚水原水１０を注入しても、泡を同伴して排水設備３に流入した処理汚水は、封入された被処理水１４をくぐって移動する際に泡と分離されてオーバーフロー口４から被処理水１１として流出することにより、正常な運転が保たれる。
【００１２】
実際の実施に際しては、排水設備３において、排水設備３底部と取水口２の高低差、及び取水口２とオーバーフロー口４の高低差を適当に設定することにより、処理する汚水に適合した好気性汚水処理装置を構成することが可能となる。
【００１３】
次に、第２の実施の形態を示す図５の装置は、縦型円筒曝気槽２０の側壁に取水口２を設けて、該取水口２に、排水側端部にオーバーフロー口４を有する略Ｕ字状のパイプ２１を排水設備として接続したものであり、それ以外は第１の実施の形態と同様に構成される。
【００１４】
因に、この装置を用いて生ゴミ処理場から発生する生ゴミ汚水（BOD 40,000ppm）を処理したところ、クリーム状の泡が多量に発生したが、略Ｕ字状パイプ２１の底部と取水口２の高低差Ｌ１を４０cmに、また取水口２とオーバーフロー口４の高低差Ｌ２を１０cmに設定することにより、泡の流失は防止され、良好な処理運転を行うことができた。
【００１５】
更に、第３の実施の形態を示す図６の装置は、排水設備３の底部に大きな流路面積を付与して当該排水設備３を汚泥沈降槽２２としても機能せしめたものであり、それ以外は第１の実施の形態と同様に構成される。
【００１６】
因に、この装置を用いて前記と同一の生ゴミ汚水を処理したところ、汚泥２３による排水設備３の閉塞は発生せず、しかも清澄な上澄みのみが被処理水１１としてオーバーフロー口４より流出した。
【００１７】
【発明の効果】
本発明の好気性汚水処理装置によれば、略Ｕ字形状を有する排水設備に封入された被処理水の水封じ作用により、曝気槽がクリーム状の泡で満たされた運転状態においても泡の流出が防止でき、正常運転の継続が可能となる。同時に、上記運転状態にて汚水原水の注入を継続しても、泡を同伴した処理汚水は、略Ｕ字形状を有する排水設備に封入された被処理水をくぐって移動する際に泡と分離されて系外に流出するため、正常運転の継続が可能となる。
【図面の簡単な説明】
【図１】従来の好気性汚水処理装置の概略断面説明図。
【図２】従来の好気性汚水処理装置による処理状態を示す概略断面説明図。
【図３】本発明好気性汚水処理装置の第１の実施の形態を示す概略断面説明図。
【図４】第１の実施の形態に係る本発明好気性汚水処理装置による処理状態を示す概略断面説明図。
【図５】本発明好気性汚水処理装置の第２の実施の形態を示す概略断面説明図。
【図６】本発明好気性汚水処理装置の第３の実施の形態を示す概略断面説明図。
【符号の説明】
１：曝気槽
２：取水口
３：排水設備
3a：略Ｕ字形状流路
４：オーバーフロー口
５：消泡装置
６：曝気ブロア
７：散気装置
８：垂れ壁
９：水位降下
10：汚水原水
11：被処理水
12：泡
13：処理汚水
14：封入された被処理水
20：縦型円筒曝気槽
21：略Ｕ字状パイプ
22：汚泥沈降槽
23：汚泥
L1：略Ｕ字状パイプと取水口の高低差
L2：取水口とオーバーフロー口の高低差
【図１】
0003819149.tif 000002
【図２】
0003819149.tif 000003
【図３】
0003819149.tif 000004
【図４】
0003819149.tif 000005
【図５】
0003819149.tif 000006
【図６】
0003819149.tif 000007